(57)【要約】【課題】空気が漏れることなく、メンテナンス性が良く、かつ、安全性の高い天井埋込形換気扇を提供することを目的とする。【解決手段】ケーシング部６と、その側面の下端部から延設された箱状のフレーム部８とから本体フレーム９を形成し、ケーシング天面４に固定する鋼板製のモーター取付板２はケーシング側面３から外方へ突出する取付板突出部１１を除いてケーシング天面４より小さく、ケーシング側面３は取付板突出部１１が位置する箇所を上下方向に切り欠いた欠損部１２を有し、ケーシング部６の下面に接合するケーシングカバー１０は、欠損部１２に係止し上端部が取付板突出部１１に当接するウォール１３を備えた構成としたことにより、羽根５およびモーター１をメンテナンスするとき、本体フレーム９内から容易に取り外すことができ、メンテナンスが容易にでき、かつ、モーター１ロック等の異常事態にモーター１脱落を阻止できる。【選択図】図２
2010164254.tif 000002
【特許請求の範囲】
【請求項１】
スクロール状のケーシング側面と、モーターを固着した鋼板製のモーター取付板を固定したケーシング天面とで形成され、内部に前記モーターに回転駆動される羽根を有したケーシング部と、前記ケーシング側面の下端部から外方へ延設され、平面視、前記ケーシング側面より大きな四角形のフレーム天面を有し、下面を開口した箱状のフレーム部とから本体フレームを形成し、前記フレーム天面に前記フレーム部内で着脱自在に固定されて、前記ケーシング部の下面に接合し前記羽根への吸込口を形成するケーシングカバーを備え、前記モーター取付板は、前記ケーシング側面から外方へ突出するように設けられた取付板突出部を除いてケーシング天面より小さく、前記ケーシング天面に前記ケーシング部内からねじ止めされ、前記ケーシング側面は、前記取付板突出部が位置する箇所を上下方向に切り欠いた欠損部を有し、前記ケーシングカバーは、上面に立設され前記欠損部に係止して前記ケーシング側面を本来の形状にするウォールを備えて、前記フレーム部内で前記フレーム天面にねじ止め等により着脱自在に固定され、前記ケーシングカバーの固定時、前記ウォールの上端部がモーター取付板の突出部に当接する構成としたことを特徴とする天井埋込形換気扇。
【請求項２】
ケーシング側面に、欠損部の側縁部から前記欠損部を囲むように延設して凹部を形成し、前記凹部を前記モーター取付板の突出部と前記ケーシングカバーとで閉塞して、室内環境を検知するセンサーユニットを着脱自在に収納するセンサー収納部を形成した請求項１記載の天井埋込形換気扇。
【請求項３】
ウォールの両側部にガイドリブを設け、ケーシング側面の欠損部の側縁部に前記ガイドリブが挿入案内されて係合する係合溝を設けた請求項１または２記載の天井埋込形換気扇。
【請求項４】
係合溝のガイドリブ挿入側端部にＲ形状を設けた請求項３記載の天井埋込形換気扇。
【請求項５】
係合溝のガイドリブ挿入側端部にＣ面形状を設けた請求項３記載の天井埋込形換気扇。
【発明の詳細な説明】
【技術分野】
【０００１】
本発明は、天井裏に配管され屋外と連通するダクトと接続し、天井に設けられた開口に埋め込まれて設置される天井埋込形換気扇に関する。
【背景技術】
【０００２】
従来のこの種の天井埋込形換気扇として、メンテナンス性が良好なものとするために、天井に設置された状態でモーターと羽根を室内側へ取り外すことができる構成のものが知られている（例えば、特許文献１参照）。
【０００３】
以下、その天井埋込形換気扇換気扇について図５を参照しながら説明する。
【０００４】
図に示すように、ダクトを接続するアダプター１０１を有し、天井に当接させて固定するためのフランジ１０２と固定金具１０３を設けた筒状のアダプターベース１０４と、アダプターベース１０４内に挿入して取り付けられるファンユニット１０５とに２分割して換気扇本体１０６を構成している。ファンユニット１０５は、アダプター１０１と連通接続されるスクロール形状のケーシング１０７と、ケーシング１０７の天面１０８に固着されたモーター１０９と、モーター１０９に回転駆動されケーシング１０７に内包される羽根１１０とからなる。
【０００５】
上記構成の天井埋込形換気扇の設置は、天井に設けられた開口にアダプターベース１０４を固定し、ファンユニット１０５を、アダプターベース１０４内に挿入した後アダプターベース１０４の内部からねじ止め（図示せず）して、天井に固定される。
【特許文献１】特開平１１−１４１９５１号公報
【発明の開示】
【発明が解決しようとする課題】
【０００６】
このような従来の天井埋込形換気扇では、モーター１０９がケーシング１０７の天面１０８に固着されているため、メンテナンス時、モーター１０９および羽根１１０だけで換気扇本体１０６内部から取り外せなく、まずファンユニット１０５をアダプターベース１０４内部より取り外し、その後、ファンユニット１０５からねじを外してモーター１０９および羽根１１０を取り外す作業が必要であった。
【０００７】
また、アダプターベース１０４とファンユニット１０５の接合部分に空気漏れ防止のためのパッキン等を貼り付けるが、メンテナンス時にパッキン等を破損して空気が漏れ、十分な換気風量が得られなくなることがある。
【０００８】
さらに、モーター１０９が何らかの要因でモーターロックし異常高温となった場合、ケーシング１０７が樹脂製であると、モーター１０９を固着している天面１０８が熱でモーター１０９を固定しているねじを保持しきれなくなり、モーター１０９および羽根１１０が脱落する事態に至ることがあるという危険性があった。
【０００９】
本発明は、このような従来の課題を解決するものであり、空気が漏れることなく、メンテナンス性が良く、かつ、安全性の高い天井埋込形換気扇を提供することを目的とする。
【課題を解決するための手段】
【００１０】
本発明の天井埋込形換気扇は、上記目的を達成するために、スクロール状のケーシング側面と、モーターを固着した鋼板製のモーター取付板を固定したケーシング天面とで形成され、内部に前記モーターに回転駆動される羽根を有したケーシング部と、前記ケーシング側面の下端部から外方へ延設され、平面視、前記ケーシング側面より大きな四角形のフレーム天面を有し、下面を開口した箱状のフレーム部とから本体フレームを形成し、前記フレーム天面に前記フレーム部内で着脱自在に固定されて、前記ケーシング部の下面に接合し前記羽根への吸込口を形成するケーシングカバーを備え、前記モーター取付板は、前記ケーシング側面から外方へ突出するように設けられた取付板突出部を除いてケーシング天面より小さく、前記ケーシング天面に前記ケーシング部内からねじ止めされ、前記ケーシング側面は、前記取付板突出部が位置する箇所を上下方向に切り欠いた欠損部を有し、前記ケーシングカバーは、上面に立設され前記欠損部に係止して前記ケーシング側面を本来の形状にするウォールを備えて、前記フレーム部内で前記フレーム天面にねじ止め等により着脱自在に固定され、前記ケーシングカバーの固定時、前記ウォールの上端部がモーター取付板の突出部に当接する構成としたものである。
【００１１】
また、他の手段は、ケーシング側面に、欠損部の側縁部から前記欠損部を囲むように延設して凹部を形成し、前記凹部を前記モーター取付板の突出部と前記ケーシングカバーとで閉塞して、室内環境を検知するセンサーユニットを着脱自在に収納するセンサー収納部を形成したものである。
【００１２】
また、他の手段は、ウォールの両側部にガイドリブを設け、ケーシング側面の欠損部の側縁部に前記ガイドリブが挿入案内されて係合する係合溝を設けたものである。
【００１３】
また、他の手段は、係合溝のガイドリブ挿入側端部にＲ形状を設けたものである。
【００１４】
また、他の手段は、係合溝のガイドリブ挿入側端部にＣ面形状を設けたものである。
【発明の効果】
【００１５】
本発明によれば、フレーム天面にフレーム部内で着脱自在に固定されて、ケーシング部の下面に接合し羽根への吸込口を形成するケーシングカバーを備え、鋼板製のモーター取付板は、ケーシング側面から外方へ突出するように設けられた取付板突出部を除いてケーシング天面より小さく、ケーシング天面にケーシング部内からねじ止めされ、ケーシング側面は、取付板突出部が位置する箇所を上下方向に切り欠いた欠損部を有し、ケーシングカバーは、上面に立設され欠損部に係止してケーシング側面を本来の形状にするウォールを備えて、フレーム部内でフレーム天面にねじ止め等により着脱自在に固定され、ケーシングカバーの固定時、ウォールの上端部がモーター取付板の突出部に当接する構成としたことにより、本体フレームが空気漏れがない構成となり、羽根を掃除したりモーターをメンテナンスするとき、両方とも室内側から、容易に取り外すことができ、掃除、メンテナンスが容易にでき、また、モーターロック等の異常事態に、モーターが脱落するという最悪事態を阻止できるという効果のある天井埋込形換気扇を提供することができる。
【００１６】
また、ケーシング側面に、欠損部の側縁部から欠損部を囲むように延設して凹部を形成し、凹部をモーター取付板の突出部とケーシングカバーとで閉塞して、室内環境を検知するセンサーユニットを着脱自在に収納するセンサー収納部を形成したことにより、センサーユニットを送風性能に影響を及ぼすことなく装着できるとともに、室内側から容易に取り外すことができるように装着することで、センサーユニットのメンテナンスも容易になり、また、センサー収納部によって、ケーシング部に欠損部を設けることによる騒音の増大を抑えることができる。
【００１７】
また、ウォールの両側部にガイドリブを設け、ケーシング側面の欠損部の側縁部にガイドリブが挿入案内されて係合する係合溝を設けたことにより、ウォールを欠損部に確実かつ容易に接合することができるとともに、この接合部の気密性を向上させることができる。
【００１８】
また、係合溝のガイドリブ挿入側端部にＲ形状を設け、あるいは、係合溝のガイドリブ挿入側端部にＣ面形状を設けたことにより、係合溝のガイドリブ挿入側端部に設けたＲ形状あるいはＣ面形状によって、ウォールの欠損部への係合がより確実かつ容易となる。  
【発明を実施するための最良の形態】
【００１９】
本発明の請求項１記載の天井埋込形換気扇は、スクロール状のケーシング側面と、モーターを固着した鋼板製のモーター取付板を固定したケーシング天面とで形成され、内部に前記モーターに回転駆動される羽根を有したケーシング部と、前記ケーシング側面の下端部から外方へ延設され、平面視、前記ケーシング側面より大きな四角形のフレーム天面を有し、下面を開口した箱状のフレーム部とから本体フレームを形成し、前記フレーム天面に前記フレーム部内で着脱自在に固定されて、前記ケーシング部の下面に接合し前記羽根への吸込口を形成するケーシングカバーを備え、前記モーター取付板は、前記ケーシング側面から外方へ突出するように設けられた取付板突出部を除いてケーシング天面より小さく、前記ケーシング天面に前記ケーシング部内からねじ止めされ、前記ケーシング側面は、前記取付板突出部が位置する箇所を上下方向に切り欠いた欠損部を有し、前記ケーシングカバーは、上面に立設され前記欠損部に係止して前記ケーシング側面を本来の形状にするウォールを備えて、前記フレーム部内で前記フレーム天面にねじ止め等により着脱自在に固定され、前記ケーシングカバーの固定時、前記ウォールの上端部がモーター取付板の突出部に当接する構成としたものであり、羽根は、室内側から本体フレーム内で取り外すことができ、さらに、モーターは、ケーシングカバーとモーター取付板を本体フレーム内で外すことで、取り外すことができて、両方とも室内から取り外すことができ、また、万一、モーターがモーターロック等により異常高温となる事態になった場合、モーター取付板をねじ止めしている箇所が熱で変形してきても、ケーシングカバーに立設されたウォールによってモーター取付板が支持されてモーターの脱落を阻止することとなるという作用を有する。
【００２０】
また、請求項２記載の天井埋込形換気扇は、ケーシング側面に、欠損部の側縁部から前記欠損部を囲むように延設して凹部を形成し、前記凹部を前記モーター取付板の突出部と前記ケーシングカバーとで閉塞して、室内環境を検知するセンサーユニットを着脱自在に収納するセンサー収納部を形成したものであり、センサーユニットもケーシングカバーを外すことで、室内側から取り外すことができるとともに、センサーユニットがケーシング風路内に位置しないので送風性能に影響がなく、さらに、ウォールとケーシング部の欠損部との係止部からの微量な風漏れによる騒音は、センサー収納部によって外部への伝播が減衰される。
【００２１】
また、請求項３記載の天井埋込形換気扇は、ウォールの両側部にガイドリブを設け、ケーシング側面の欠損部の側縁部に前記ガイドリブが挿入案内されて係合する係合溝を設けたものであり、ウォールは、ガイドリブを欠損部の係合溝に挿入して、案内されながら係合して、欠損部に接合することができる。
【００２２】
また、請求項４記載の天井埋込形換気扇は、係合溝のガイドリブ挿入側端部にＲ形状を設けたものであり、ウォールを係合溝に、Ｒ形状の端部によって挿入しやすくなる。
【００２３】
また、請求項５記載の天井埋込形換気扇は、係合溝のガイドリブ挿入側端部にＣ面形状を設けたものであり、ウォールを係合溝に、Ｃ面形状の端部によって挿入しやすくなる。
【００２４】
以下、本発明の実施の形態について、図１〜図４を参照しながら説明する。
【００２５】
（実施の形態１）
図１に示すように、側部に排気ダクト（図示せず）と接続する吐出アダプター２３を有するスクロール状のケーシング側面３と、モーター１を固着した鋼板製のモーター取付板２を固定したケーシング天面４とで形成され、内部にモーター１に回転駆動される羽根５を有したケーシング部６と、ケーシング側面３の下端部から外方へ延設され、平面視、ケーシング側面３より大きな四角形のフレーム天面７を有し、下面を開口した箱状のフレーム部８とから本体フレーム９を形成し、フレーム天面７にフレーム部８内でねじにより着脱自在に固定されて、ケーシング部６の下面に接合し、羽根５の外径より大きい径の開口１４を有したケーシングカバー１０を備え、ケーシングカバー１０の開口１４側に羽根５の外径よりも小さい径の吸込口１５を有したオリフィス１６を、その外周部に設けた係止片１７と、係止片１７に対応するケーシングカバー１０の位置に設けられ係止片１７と係合する係合部１８との係脱によって、着脱自在に取り付けている。係止片１７と係合部１８との係合、脱却は手で押し上げて係合し、指先で係合を外すことによって行う。また、本体フレーム９の下面の開口を覆うルーバー２２が着脱可能に取り付けられている。
【００２６】
そして、図２に示すように、モーター取付板２は、ケーシング側面３から外方へ突出するように設けられた取付板突出部１１を除いてケーシング天面４より小さく、ケーシング天面４にケーシング部６内からねじ止めされ、ケーシング側面３は、取付板突出部１１が位置する箇所を上下方向に切り欠いた欠損部１２を有し、ケーシングカバー１０は、上面に立設され欠損部１２に係止してケーシング側面３を本来の形状にするウォール１３を備えて、フレーム部８内でフレーム天面７にねじ止め等により着脱自在に固定され、ケーシングカバー１０の固定時、ウォール１３の上端部がモーター取付板２の取付板突出部１１に当接している。
【００２７】
また、図３に示すようにケーシング側面３に、欠損部１２の側縁部から欠損部１２を囲むように延設して凹部１９を形成し、凹部１９を取付板突出部１１とケーシングカバー１０とで閉塞して、室内環境を検知するセンサーユニット２０を着脱自在に収納するセンサー収納部を形成している。
【００２８】
また、図４に示すように、ウォール１３の両側部にガイドリブ２１を設け、また欠損部１２の側縁部にガイドリブ２１が挿入案内されて係合する係合溝２４を設けている。さらに、係合溝２４のガイドリブ２１挿入側端部にＲ形状（図示せず）を設けている。
【００２９】
上記構成の天井埋込形換気扇は、本体フレーム９が従来のように２分割した２部品からでなく、一体で成形されているため、従来のように接合面から空気が漏れる恐れがない。
【００３０】
また、天井に本体フレーム９を天井に設置した後、モーター取付板２が本体フレーム９内部からねじによって着脱自在に取り付けられており、さらに、ケーシングカバー１０がフレーム天面７に本体フレーム９内部からねじによって着脱自在に取り付けられているので、ルーバー２２、オリフィス１６、ケーシングカバー１０、モーター取付板２の順に取り外すことで、モーター１やセンサーユニット２０を本体フレーム９内で着脱することができ、これらのメンテナンスを容易に行うことができる。
【００３１】
そして、センサーユニット２０がケーシング部６の風路外である凹部１９に配設されているので、圧力損失を発生することがなく、また、凹部１９により欠損部１２とウォール１３の隙間から発生する騒音の外部への伝播を減衰させる。
【００３２】
さらに、ウォール１３の両側部のガイドリブ２１およびガイドリブ２１が挿入案内されて係合する係合溝２４を設け、係合溝２４のガイドリブ２１挿入側端部にＲ形状を設けることで、メンテナンス終了後、ケーシングカバー１０が本体フレーム９に容易に、かつ気密性を保って挿入できる。
【００３３】
そして、ケーシングカバー１０の固定時、ウォール１３の上端部がモーター取付板２の取付板突出部１１に当接しているので、万一、モーター１がロックする等により異常発熱し、モーター取付板２が極度に高温となってモーター取付板２を固定しているねじボスが破損しても、ウォール１３が下方から支えているので、モーター１が落下するという事態を避けることができる。
【００３４】
以上のように本実施の形態１の天井埋込形換気扇によれば、風量の低下を招くことなく、モーター１、センサーユニット２０を本体フレーム９内から着脱してメンテナンスが容易に行えるとともに、モーター１のロック等の異常事態が起こったとしても、モーター１が落下するような危険な状態を防ぐことができることとなる。
【００３５】
なお、本実施の形態１では、係合溝２４のガイドリブ２１挿入側端部にＲ形状を設けているが、ガイドリブ２１挿入側端部にＣ面形状を設けても同様の作用効果を奏することができる。
【産業上の利用可能性】
【００３６】
本発明は、天井に設置され、モーターおよび制御機器を室内からメンテナンスできることが要求される換気装置に有用である。
【図面の簡単な説明】
【００３７】
【図１】本発明の実施の形態１の天井埋込形換気扇を示す分解斜視図
【図２】同天井埋込形換気扇の本体フレームとケーシングカバーを示す斜視図
【図３】同天井埋込形換気扇の断面図
【図４】図３のＡ部拡大図
【図５】従来の天井埋込形換気扇のファンユニット取外し時の斜視図
【符号の説明】
【００３８】
１    モーター
２    モーター取付板
３    ケーシング側面
４    ケーシング天面
５    羽根
６    ケーシング部
７    フレーム天面
８    フレーム部
９    本体フレーム
１０  ケーシングカバー
１１  取付板突出部
１２  欠損部
１３  ウォール
１５  吸込口
１９  凹部
２０  センサーユニット
２１  ガイドリブ
２４  係合溝
【図１】
2010164254.tif 000003
【図２】
2010164254.tif 000004
【図３】
2010164254.tif 000005
【図４】
2010164254.tif 000006
【図５】
2010164254.tif 000007